(57)【要約】      （修正有）【課題】簡単な構成でデザインを表示できるカバーを有する照明器具を提供する。【解決手段】照明器具は、光を発する光源部２００と、光源部と対向し、光源部から発せられた光が入射する入光面３２０と、入光面で入射した光を出射する発光面３１０とを有するカバー３００と、を備える。発光面３１０は、光が出射する少なくとも二つの第一発光部３１１と、二つの第一発光部３１１に挟まれた第二発光部３１２と、を有する。入光面３２０は、第一発光部３１１と対向する第一入光部３２１と、第二発光部３１２と対向する第二入光部３２２と、を有する。第二入光部３２２の少なくとも一部は、第一入光部３２１と比較して発光面３１０と入光面３２０との間の距離Ｔ１、Ｔ２が異なる。【選択図】図８
2020053122.tif 000002
【特許請求の範囲】
【請求項１】
光を発する光源部と、
前記光源部と対向し、前記光源部から発せられた光が入射する入光面と、前記入光面で入射した光を出射する発光面とを有するカバーと、
を備え、
前記発光面は、
光が出射する少なくとも二つの第一発光部と、
二つの前記第一発光部に挟まれた第二発光部と、
を有し、
前記入光面は、
前記第一発光部と対向する第一入光部と、
前記第二発光部と対向する第二入光部と、
を有し、
前記第二入光部の少なくとも一部は、前記第一入光部と比較して前記発光面と前記入光面との間の距離が異なる照明器具。
【請求項２】
前記第二入光部の少なくとも一部は、
前記入光面と前記発光面との間において、前記第一入光部よりも前記発光面側に位置する請求項１に記載の照明器具。
【請求項３】
前記第二入光部の少なくとも一部は、
前記入光面と前記発光面との間において傾斜面を形成している請求項１又は請求項２に記載の照明器具。
【請求項４】
前記第二入光部は、
前記入光面において凹形状に形成された部分である請求項１〜請求項３のいずれか１項に記載の照明器具。
【請求項５】
前記第二入光部は、
前記カバーにおける断面がＶ字形状に形成された溝部である請求項１〜請求項４のいずれか１項に記載の照明器具。
【請求項６】
前記第二入光部は、
前記入光面よりも前記発光面に近い位置に、平面状に形成された平面部を有する請求項２〜請求項４のいずれか１項に記載の照明器具。
【請求項７】
前記カバーは、長尺状に形成されており、
前記第二入光部は、前記カバーの短手方向に延びるように直線状に形成されている請求項１〜請求項６のいずれか１項に記載の照明器具。
【請求項８】
前記第二入光部は、
前記カバーの長手方向に複数形成されている請求項７に記載の照明器具。
【請求項９】
前記第二入光部は、
前記カバーの短手方向に複数形成されている請求項７又は請求項８に記載の照明器具。
【請求項１０】
前記第一入光部は、
平面状に形成されている請求項１〜請求項９のいずれか１項に記載の照明器具。
【請求項１１】
前記カバーは、
前記第二入光部の長手方向の端部の延長線上に、平面状に形成された補強部を有し、
前記補強部の表面と前記発光面との間の距離は、前記第二入光部の最深部と前記発光面との間の距離よりも大きい請求項７〜請求項９のいずれか１項に記載の照明器具。
【請求項１２】
前記補強部は、
前記入光面と面一状に形成されている請求項１１に記載の照明器具。
【発明の詳細な説明】
【技術分野】
【０００１】
本発明は、透光性のあるカバーを有する照明器具に関する。
【背景技術】
【０００２】
従来から、ＬＥＤ等の光源部を覆うように、透光性のあるカバーを備えた照明器具が開示されている（例えば、特許文献１参照）。特許文献１に記載の照明器具は、光源部を覆うカバーに文字あるいは図柄等のデザインを表示することができる。
【先行技術文献】
【特許文献】
【０００３】
【特許文献１】特開２０１２−６４４７４号公報
【発明の概要】
【発明が解決しようとする課題】
【０００４】
しかしながら、特許文献１の照明器具は、発光面にデザインを表示させるために透過性の板材に不透過材が取り付けられているものである。その為、特許文献１の照明器具は、発光面にデザインを表示させるために、多くの材料が必要となり、カバーの構成が複雑になる。
【０００５】
本発明は、上記の課題を鑑みてなされたものであり、簡単な構成でデザインの表示ができるカバーを有する照明器具を提供するものである。
【課題を解決するための手段】
【０００６】
本発明に係る照明器具は、光を発する光源部と、光源部と対向し、光源部から発せられた光が入射する入光面と、入光面で入射した光を出射する発光面とを有するカバーと、を備え、発光面は、光が出射する少なくとも二つの第一発光部と、二つの第一発光部に挟まれた第二発光部と、を有し、入光面は、第一発光部と対向する第一入光部と、第二発光部と対向する第二入光部と、を有し、第二入光部の少なくとも一部は、第一入光部と比較して発光面と入光面との間の距離が異なるものである。
【発明の効果】
【０００７】
本発明の照明器具は、第二入光部の少なくとも一部が、第一入光部と比較して発光面と入光面との間の距離が異なるものである。その結果、照明器具は、第二入光部に対向する第二発光部と、第一入光部に対向する第一発光部との間で、発光面から照射される光の明るさを異ならせることができる。すなわち、本発明の照明器具は、第二入光部の少なくとも一部が、第一入光部と比較して発光面と入光面との間の距離が異なるという簡単な構成によって、発光面から照射される光の明るさを異ならせることができ、異なる光の明るさによってカバーにデザインを表示させることができる。
【図面の簡単な説明】
【０００８】
【図１】本発明の実施の形態に係る照明器具の斜視図である。
【図２】図１の照明器具の分解斜視図である。
【図３】図２の器具本体の概略側面図である。
【図４】図３の器具本体のＡ−Ａ線断面図である。
【図５】図２のカバーの斜視図である。
【図６】図２のカバーの平面図である。
【図７】図５のカバーのＢ部の拡大図である。
【図８】図６のカバーのＣ−Ｃ線断面と、カバーと光源部との関係を示す概略断面図である。
【図９】図８のカバーのＥ部の拡大図である。
【図１０】図６のカバーのＤ−Ｄ線断面を示す概略断面図である。
【図１１】図５のカバーにおける第二入光部の変形例を示す参考図である。
【図１２】変形例１のカバーを示す図である。
【図１３】変形例２のカバーを示す図である。
【図１４】変形例３のカバーを示す図である。
【発明を実施するための形態】
【０００９】
以下、本発明の実施の形態に係る照明器具１について、図面を参照して説明する。各図において同じまたは対応する構成要素には、同じ符号を付し、説明の繰り返しを省略する場合がある。ここで、以下に説明する実施の形態によって本発明が限定されるものではない。また、以下の図面では各構成部材の大きさの関係が実際のものとは異なる場合がある。また、実施の形態の説明において、上、下、左、右、前、後、表、裏といった向きあるいは位置が示されている場合がある。これらの表記は、説明の便宜上の記載であり、装置、器具、あるいは部品等の配置、方向及び向きを限定するものではない。
【００１０】
実施の形態．
＜照明器具１の構成＞
図１は、本発明の実施の形態に係る照明器具１の斜視図である。図２は、図１の照明器具１の分解斜視図である。図３は、図２の器具本体１００の概略側面図である。図４は、図３の器具本体１００のＡ−Ａ線断面図である。図１から図４を参照して、実施の形態に係る照明器具１の構成を説明する。
【００１１】
以下の説明において、照明器具１の長手方向に沿った方向を長手方向Ｘとする。また、長手方向Ｘに直交し、長手方向Ｘに対する短手方向を短手方向Ｙとする。そして、長手方向Ｘ及び短手方向Ｙのいずれとも直交する方向を上下方向Ｚとする。さらに、上下方向Ｚにおいて、照明器具１が取り付けられる天井あるいは壁等の被取付部側への向きを上向きＺ１とする。そして、上向きＺ１と反対側の向きであり照明器具１から光が照射される照射空間側への向きを下向きＺ２とする。
【００１２】
本実施の形態における照明器具１は、天井あるいは壁等の被取付部に取り付けられるものであり、例えば、被取付部に設けられた開口に埋め込まれるように取り付けられる。照明器具１は、短手方向Ｙの中央部分が、被取付部側に突出する凸形状に形成されており、照射空間側から被取付部側を見た平面視において矩形状に形成されている。なお、図１〜図４に示す照明器具１の形状は一例であり、例えば、照明器具１の形状は、円柱形状、角柱形状、円錐形状、角錐形状等、他の形状であってもよい。また、照明器具１は、被取付部に設けられた開口に埋め込まれるような器具形状だけでなく、長尺形状のものでもよく、ダウンライト形状のものでもよい。照明器具１は、図１及び図２に示すように、器具本体１００と、器具本体１００に取り付けられる光源部２００と、光源部２００を覆うように器具本体１００に取り付けられるカバー３００とを有する。
【００１３】
（器具本体１００）
器具本体１００は、図２及び図４に示すように、一面が開口した箱形状に形成されている。器具本体１００は、内部に光源部２００を収容すると共に、光源部２００を覆うカバー３００を保持する。器具本体１００は、例えば、金属製の板材を組み合わせて形成される。なお、器具本体１００の材料は、金属に限定されるものではなく、例えば、樹脂等の他の材料によって形成されてもよい。また、器具本体１００は、板材の組み合わせによって形成されるものに限定されるものではなく、例えば、一体成形によって形成されてもよい。
【００１４】
器具本体１００は、凹部１１０が形成され、枠部１２０を有している。凹部１１０は、底部１１１と側壁部１１４とから構成されており、一面が開口した箱形状に形成されている。底部１１１は、長尺の矩形状に形成されている。なお、底部１１１の形状は、長尺の矩形状に限定されるものではなく、例えば、正方形、円形、多角形等、他の形状であってもよい。底部１１１には、光源部２００が取り付けられる。側壁部１１４は、長手方向Ｘの両端部の側壁を構成して短手方向Ｙに延びるように設けられる短手方向側壁部１１４ａと、短手方向Ｙの両端部の側壁を構成して長手方向Ｘに延びるように設けられる長手方向側壁部１１４ｂとを有する。２つの短手方向側壁部１１４ａは、互いに向かい合うように配置され、２つの長手方向側壁部１１４ｂも、互いに向かい合うように配置されている。凹部１１０の側壁部１１４は、照明器具１が被取付部に取り付けられた場合の照射空間側（Ｚ２側）の端部によって、開口部１１０ａを形成する。開口部１１０ａを構成する側壁部１１４の縁部には、カバー３００が係合される鍔部１１２が形成されている。鍔部１１２は、互いに向かい合う長手方向側壁部１１４ｂにそれぞれ設けられており、各鍔部１１２は、互いに近づくように突出する。鍔部１１２は、板状の部材であり、長手方向側壁部１１４ｂの照明空間側の先端から水平方向に延びると共に、凹部１１０の長手方向Ｘに沿って形成されている。鍔部１１２には、カバー３００が戴置されて固定される。
【００１５】
（光源部２００）
光源部２００は、光を発するものである。光源部２００は、長尺に形成されており、図２及び図４に示すように、複数の発光素子２１０と、発光素子２１０が実装される基板２２０とを有している。なお、光源部２００は、長尺形状に限定されるものではなく、照明器具１の形状に併せて、例えば、正方形状、円形状、多角形状等、他の形状に形成されてもよい。
【００１６】
発光素子２１０は、電力の供給を受けて発光する。本実施の形態では、発光素子２１０として、発光ダイオード（Ｌｉｇｈｔ  Ｅｍｉｔｔｉｎｇ  Ｄｉｏｄｅ；以下、ＬＥＤと称す）素子を用いている。発光素子２１０は、基板２２０の実装面において、長手方向Ｘに沿って、一列に配置されている。なお、基板２２０における、発光素子２１０の配置は、一列に配置される態様に限定されるものではなく、例えば、複数の列状に配置されてもよく、あるいは、千鳥状等に配置されてもよい。また、発光素子２１０は、ＬＥＤの代わりに、例えば、固体レーザ（Ｓｏｌｉｄ  Ｓｔａｔｅ  Ｌａｓｅｒ）、半導体レーザ（Ｓｅｍｉｃｏｎｄｕｃｔｏｒ  Ｌａｓｅｒ）、有機ＥＬ（Ｅｌｅｃｔｒｏ  Ｌｕｍｉｎｅｓｃｅｎｃｅ）又は無機ＥＬ等が用いられてもよい。基板２２０は、長尺に形成されており、照明器具１の長手方向Ｘに延びる板状の部材である。なお、基板２２０は、長尺形状に限定されるものではなく、照明器具１の形状に併せて、例えば、正方形状、円形状、多角形状等、他の形状に形成されてもよい。基板２２０は、例えば、ガラス−エポキシ基板（ＦＲ−４）、ガラス−コンポジット基板（ＣＥＭ−３）、紙エポキシ基板（ＦＲ−３）、紙フェノール基板（ＸＰＣ）、金属ベース基板等が用いられる。
【００１７】
（カバー３００）
カバー３００は、光源部２００によって発せられた光が入光して、この光を透過させて照射するものであり、少なくとも可視光を透過する透光性の材料で形成されている。カバー３００の材料は、例えば、乳白の樹脂材料でもよく、拡散材が混ぜられた樹脂材料でもよい。カバー３００は、例えば、ポリカーボネイト、アクリル等の樹脂材料、あるいは、ガラス等を用いて形成することができる。カバー３００は、板状の部材である。また、カバー３００は、短手断面が矩形状に形成された平板である。なお、図１及び図２に示すように、カバー３００は、照射空間側から被取付部側に見た平面視において矩形の長尺状に形成されているが、カバー３００の形状は矩形の長尺状に限定されるものではない。カバー３００の形状は、照明器具１の形状に併せて、例えば、正方形、円形、多角形等、他の形状であってもよい。また、カバー３００は、短手断面が直線状に形成された平板に限定されるものではなく、例えば、短手断面が円弧状に形成された板でもよく、多角形状に形成された板でもよい。また、実施の形態１は、カバー３００について、埋め込み型の照明器具１に使用されるものとして説明しているが、カバー３００は、例えば、ＬＥＤ直管ランプのカバーであってもよい。カバー３００は、器具本体１００の鍔部１１２に戴置されて、器具本体１００に配設されている。
【００１８】
図５は、図２のカバー３００の斜視図である。図６は、図２のカバー３００の平面図である。図７は、図５のカバー３００のＢ部の拡大図である。図８は、図６のカバー３００のＣ−Ｃ線断面と、カバー３００と光源部２００との関係を示す概略断面図である。図９は、図８のカバー３００のＥ部の拡大図である。図１０は、図６のカバー３００のＤ−Ｄ線断面を示す概略断面図である。カバー３００は、器具本体１００に取り付けられた状態で光源部２００と対向する。カバー３００は、図８に示すように、光源部２００から発せられた光が入射する入光面３２０と、入光面３２０で入射した光を出射する発光面３１０とを有する。カバー３００は、カバー３００が器具本体１００に取り付けられた場合に、光源部２００と対向する面であり、発光面３１０の反対側の面を入光面３２０と称する。カバー３００は、カバー３００が器具本体１００に取り付けられた場合に、入光面３２０の反対側の面であり、器具本体１００の外側を向く面、すなわち、照射空間側の面を発光面３１０と称する。
【００１９】
入光面３２０に関して、図５〜図１０を用いて、更に詳細に説明する。入光面３２０は、図５及び図８に示すように、光源部２００から発せられた光を受ける第一入光部３２１と、第二入光部３２２とを有している。入光面３２０は、カバー３００の長手方向Ｘにおいて、第一入光部３２１と第二入光部３２２とが隣接して交互に形成されている。また、入光面３２０は、カバー３００の長手方向Ｘにおいて、第一入光部３２１が、第二入光部３２２よりも長く形成されている。
【００２０】
第一入光部３２１は、図５及び図８に示すように、入光面３２０において、略面状の範囲として設けられている部分であり、平面状に形成された部分である。第一入光部３２１は、図８に示すように、カバー３００の厚さ方向において、第一入光部３２１と発光面３１０との間の距離Ｔ１がカバー３００の厚さＴと同じ厚さ又は略同じ厚さに形成されている。第一入光部３２１は、カバー３００内において後述する第一発光部３１１と対向する。
【００２１】
第二入光部３２２は、入光面３２０において凹形状に形成された部分である。より詳細には、第二入光部３２２は、第一入光部３２１の隣に形成されており、図５及び図８に示すように、入光面３２０において、入光面３２０側から発光面３１０側に凹んだ溝が線状に形成された部分である。すなわち、第二入光部３２２は、入光面３２０と発光面３１０との間において、第一入光部３２１よりも発光面３１０側に位置している。第二入光部３２２は、図５及び図１０に示すように、カバー３００の短手方向Ｙに延びるように直線状に形成されている。第二入光部３２２は、図５に示すように、カバー３００の長手方向Ｘに複数形成されている。複数の第二入光部３２２は、長手方向Ｘに並列するように形成されている。
【００２２】
第二入光部３２２は、図８に示すように、第二入光部３２２の溝の最深部となる端部３２２ｇと発光面３１０との間の距離Ｔ２が、第一入光部３２１と発光面３１０との間の距離Ｔ１よりも短く形成されている。換言すれば、第二入光部３２２の少なくとも一部は、第一入光部３２１と比較して発光面３１０と入光面３２０との間の距離が異なる。第二入光部３２２は、図８及び図９に示すように、傾斜面３２２ａを有している。傾斜面３２２ａは、入光面３２０と平行な面に対して傾斜している。第二入光部３２２は、２つの傾斜面３２２ａによって、溝の断面がＶ字状に形成されている。すなわち、第二入光部３２２は、カバー３００における断面がＶ字形状に形成された溝部である。なお、第二入光部３２２は、カバー３００の短手方向Ｙに直線状に形成された形状として例示している。しかし、カバー３００は、入光面３２０に凹み形状を形成し、入光面３２０と発光面３１０との間の距離が異なる部分を形成することによって、第一発光部３１１と第二発光部３１２との間に明るさの差をつけられればよい。そこで、第二入光部３２２は、カバー３００の短手方向Ｙに直線状に形成された形状に限定されるものではなく、例えば、カバー３００の長手方向Ｘに直線状に形成されたものでもよい。また、第二入光部３２２は、カバー３００の長手方向Ｘに対して傾斜したものでもよい。また、第二入光部３２２は、被取付部側から照射空間側に見た平面視において、複数の直線を組み合わせたものでもよく、複数の曲線を組み合わせたものでもよい。また、第二入光部３２２は、被取付部側から照射空間側に見た平面視において、直線と曲線とを組み合わせたものでもよい。さらに、第二入光部３２２は、被取付部側から照射空間側に見た平面視において、円形状、円弧形状、多角形状等他の形状に形成されたものでもよい。また、第二入光部３２２は、それらが組み合わさった形状でもよい。第二入光部３２２は、カバー３００内において後述する第二発光部３１２と対向する。
【００２３】
カバー３００は、図５、図７及び図１０に示すように、線状に形成された第二入光部３２２の長手方向の端部３２２ｔの延長線上に、平面状に形成された補強部３２３を有してもよい。この補強部３２３は、入光面３２０において、略面状の範囲として設けられている部分であり、平面状に形成された部分である。補強部３２３は、図１０に示す補強部３２３の表面と発光面３１０との間の距離Ｔ３が、図８に示す第二入光部３２２の溝の最深部となる端部３２２ｇと発光面３１０との間の距離Ｔ２よりも大きく形成されている。補強部３２３の距離Ｔ３は、第二入光部３２２の溝の最深部となる端部３２２ｇと発光面３１０との間の距離Ｔ２よりも大きければよく、第一入光部３２１と発光面３１０との間の距離Ｔ１と同じ距離でもよい。すなわち、補強部３２３は、第一入光部３２１と面一状に形成されてもよい。
【００２４】
発光面３１０は、表面が平面状に形成されている。発光面３１０は、図８に示すように、光が出射する少なくとも二つの第一発光部３１１と、二つの第一発光部３１１に挟まれ、第一発光部３１１とは出射する光の特性が異なる第二発光部３１２とを有する。上下方向Ｚにおけるカバー３００の厚さ方向において、第一入光部３２１と対向する発光面３１０の部分を第一発光部３１１と称し、第二入光部３２２と対向する発光面３１０の部分を第二発光部３１２と称する。なお、光の特性とは、例えば、明るさ又は輝度等である。また、光の特性は、明るさだけではなく、色であってもよい。
【００２５】
次に、カバー３００の光学特性に関して、図８及び図９の断面図を用いて説明する。なお、図９に示す矢印は、発光素子２１０から発せられた光の進路を表わすものである。第一発光部３１１は、主に第一入光部３２１から入射した光が出射される部分であり、居室等の照射空間が所定の明るさになるように光を照射する照射面である。照明器具１は、主に第一発光部３１１からの光の照射によって、所定の照明性能を有している。
【００２６】
第二発光部３１２は、主に第二入光部３２２から入射した光が出射される部分であり、線状に形成された第二入光部３２２の形状に沿って、発光面３１０において線状に発光する部分である。第二発光部３１２では、図９に示すように傾斜面３２２ａに入光する光が屈折し、第二発光部３１２から外方向へ進むように光の進路が制御される。すなわち、発光素子２１０から発せられ、カバー３００の厚さ方向（Ｚ軸方向）に進む光が、第二入光部３２２の傾斜面３２２ａで屈折し、第二発光部３１２から外側に向かう長手方向Ｘの成分を持つことになる。そのため、第二入光部３２２に対して、カバー３００の厚さ方向（Ｚ軸方向）に位置する第二発光部３１２には屈折した光が届きにくくなり、第二発光部３１２の発光面３１０は、周囲の第一発光部３１１の発光面３１０よりも暗くなる。
【００２７】
また、上述したように、第一入光部３２１と第二入光部３２２とは、カバー３００の長手方向Ｘにおいて互いに隣接して複数設けられている。よって、光源部２００が発光する前は、発光面３１０は無地の平面にみえるが、光源部２００を発光させると、発光面３１０が第二発光部３１２によって複数に区切られる。そのため、カバー３００は、複数の第一発光部３１１を有するような意匠にすることができる。つまり、カバー３００は、第一発光部３１１に比べ線状に暗くなる第二発光部３１２によって、発光面３１０を容易に複数のブロックに分けることができる。
【００２８】
なお、上述したように、第一発光部３１１は、主に第一入光部３２１から入射した光が出射される部分であるとし、第二発光部３１２は、主に第二入光部３２２から入射した光が出射される部分であるとした。第一発光部３１１と第二発光部３１２との説明において、「主に」の記載を使用したのは次のような理由からである。すなわち、発光素子２１０から発せられる光の照射角度、あるいは、カバー３００内の光の拡散によって、第一発光部３１１と第二発光部３１２のそれぞれに第一入光部３２１及び第二入光部３２２から入射した光の一部が届き発光する場合もあるためである。
【００２９】
また、上述したように、上下方向Ｚにおけるカバー３００の厚さ方向において、第一入光部３２１と対向する発光面３１０の部分を第一発光部３１１と称し、第二入光部３２２と対向する発光面３１０の部分を第二発光部３１２と称するとした。しかし、カバー３００の厚さ方向において、第一入光部３２１と対向する発光面３１０の部分と、第一発光部３１１とが全く同一の領域になるとは限らない場合もある。すなわち、カバー３００の厚さ方向において、第一入光部３２１と対向する発光面３１０の部分と、第一発光部３１１とが一致しない場合もある。同様に、カバー３００の厚さ方向において、第二入光部３２２と対向する発光面３１０の部分と、第二発光部３１２とが完全に同一の領域になるとは限らない場合もある。すなわち、カバー３００の厚さ方向において、第二入光部３２２と対向する発光面３１０の部分と、第二発光部３１２とが一致しない場合もある。これは、発光素子２１０から発せられる光の照射角度、あるいは、カバー３００内の光の拡散によって、第一発光部３１１と第二発光部３１２のそれぞれに第一入光部３２１及び第二入光部３２２から入射した光の一部が届き発光する場合もあるためである。よって、例えば、第二入光部３２２に沿って線状に明るく発光する発光面３１０の部分を第二発光部３１２とし、それ以外の発光面３１０の発光する部分を第一発光部３１１としてもよい。
【００３０】
図１１は、図５のカバー３００における第二入光部３２２の変形例を示す参考図である。カバー３００は、図１１に示すように、短手方向Ｙに複数の第二入光部３２２を形成してもよい。カバー３００は、第二入光部３２２のそれぞれの対向する端部３２２ｔの間に補強部３２３を設け、例えば、第二入光部３２２を点線状に形成してもよい。
【００３１】
以上のように、第二入光部３２２の少なくとも一部は、第一入光部３２１と比較して発光面３１０と入光面３２０との間の距離が異なるものである。そのため、照明器具１は、第二入光部３２２から入射する光と第一入光部３２１から入射する光との間で、カバー３００における光の入射角が異なり、あるいは、光がカバー３００を透過する距離が異なる。そして、照明器具１は、第二入光部３２２から入射する光の拡散による光の進行方向と、第一入光部３２１から入射する光の拡散による光の進行方向とが異なる。また、照明器具１は、第二入光部３２２から入射する光のカバー３００内の透過による損失量と、第一入光部３２１から入射する光のカバー３００内の透過による損失量とが異なる。その結果、照明器具１は、第二入光部３２２に対向する第二発光部３１２と、第一入光部３２１に対向する第一発光部３１１との間で、発光面３１０から照射される光の明るさを異ならせることができる。すなわち、照明器具１は、第二入光部３２２の少なくとも一部が、第一入光部３２１と比較して発光面３１０と入光面３２０との間の距離が異なるという簡単な構成によって、発光面３１０から照射される光の明るさを異ならせることができる。そして、照明器具１は、異なる光の明るさによってカバー３００にデザインを表示することができる。
【００３２】
また、照明器具１は、カバー３００の入光面３２０と発光面３１０との間において、入光面３２０の第二入光部３２２の少なくとも一部が第一入光部３２１よりも発光面３１０側に位置するものである。そのため、照明器具１は、第二入光部３２２から入射する光と第一入光部３２１から入射する光との間で、カバー３００における光の入射角が異なり、あるいは、光がカバー３００を透過する距離が異なる。そして、照明器具１は、第二入光部３２２から入射する光の拡散による光の進行方向と、第一入光部３２１から入射する光の拡散による光の進行方向とが異なる。また、照明器具１は、第二入光部３２２から入射する光のカバー３００内の透過による損失量と、第一入光部３２１から入射する光のカバー３００内の透過による損失量とが異なる。その結果、照明器具１は、第二入光部３２２に対向する第二発光部３１２と、第一入光部３２１に対向する第一発光部３１１との間で、発光面３１０から照射される光の明るさを異ならせることができる。すなわち、照明器具１は、第二入光部３２２の少なくとも一部が、第一入光部３２１と比較して発光面３１０と入光面３２０との間の距離が異なるという簡単な構成によって、発光面３１０から照射される光の明るさを異ならせることができる。そして、照明器具１は、異なる光の明るさによってカバー３００にデザインを表示することができる。
【００３３】
また、すなわち、照明器具１は、第二入光部３２２の少なくとも一部が、入光面３２０と発光面３１０との間において傾斜面３２２ａを形成するものである。そのため、照明器具１は、第二入光部３２２において、光源部２００から照射される光が拡散される。その結果、第二入光部３２２に対向する第二発光部３１２と、第一入光部３２１に対向する第一発光部３１１との間で、発光面３１０から照射される光の明るさを異ならせることができる。照明器具１は、第二入光部３２２の少なくとも一部が、傾斜面３２２ａを形成するという簡単な構成によって、発光面３１０から発せられる光の明るさを異ならせることができる。そして、照明器具１は、第一発光部３１１と第二発光部３１２との異なる光の明るさによってデザインを表示することができる。
【００３４】
また、第二入光部３２２は、入光面３２０において凹形状に形成された部分である。そのため、照明器具１は、第二入光部３２２において、光源部２００から照射される光が拡散される。その結果、第二入光部３２２に対向する第二発光部３１２と、第一入光部３２１に対向する第一発光部３１１との間で、発光面３１０から照射される光の明るさを異ならせることができる。すなわち、照明器具１は、入光面３２０において凹形状に形成された部分である第二入光部３２２を有するという簡単な構成によって、発光面３１０から発せられる光の明るさを異ならせることができる。そして、照明器具１は、第一発光部３１１と第二発光部３１２との異なる光の明るさによってカバー３００にデザインを表示することができる。また、カバー３００は、凹形状に形成された第二入光部３２２により、第二発光部３１２を構成しており、新たな部材を設けずに第一発光部３１１に対して光の特性が異なる第二発光部３１２を容易に形成することができる。
【００３５】
また、第二入光部３２２は、カバー３００における断面がＶ字形状に形成された溝部である。そのため、照明器具１は、第二入光部３２２において、光源部２００から照射される光が拡散される。その結果、第二入光部３２２に対向する第二発光部３１２と、第一入光部３２１に対向する第一発光部３１１との間で、発光面３１０から照射される光の明るさを異ならせることができる。すなわち、照明器具１は、カバー３００における断面がＶ字形状に形成された溝部である第二入光部３２２を有するという簡単な構成によって、発光面３１０から発せられる光の明るさを異ならせることができる。そして、照明器具１は、第一発光部３１１と第二発光部３１２との異なる光の明るさによってカバー３００にデザインを表示することができる。また、カバー３００は、カバー３００における断面がＶ字形状に形成された溝部である第二入光部３２２により、第二発光部３１２を構成しており、新たな部材を設けずに第一発光部３１１に対して光の特性が異なる第二発光部３１２を容易に形成することができる。
【００３６】
また、第二入光部３２２は、カバー３００の短手方向Ｙに延びるように直線状に形成されている。すなわち、カバー３００は、主たる照射面となる第一発光部３１１と、第一発光部３１１に対して光の特性が異なり、線状に表れる第二発光部３１２とを有している。その結果、照明器具１は、カバー３００において、容易に発光面３１０を分割したデザインを表示することができる。また、カバー３００は、溝が線状に設けられた第二入光部３２２により、第二発光部３１２が構成されており、新たな部材を設けずに第一発光部３１１に対して光の特性が異なる第二発光部３１２を容易に形成することができる。
【００３７】
また、第二入光部３２２は、カバー３００の長手方向Ｘに複数形成されている。すなわち、カバー３００は、主たる照射面となる第一発光部３１１と、第一発光部３１１に対して光の特性が異なり、線状に表れる第二発光部３１２とを有している。その結果、照明器具１は、カバー３００において、容易に発光面３１０を分割したデザインを表示することができる。また、カバー３００は、溝が線状に設けられた第二入光部３２２により、第二発光部３１２が構成されており、新たな部材を設けずに第一発光部３１１に対して光の特性が異なる第二発光部３１２を容易に形成することができる。
【００３８】
また、第二入光部３２２は、カバー３００の短手方向Ｙに複数形成されている。すなわち、カバー３００は、主たる照射面となる第一発光部３１１と、第一発光部３１１に対して光の特性が異なり、点線状に表れる第二発光部３１２とを有している。その結果、照明器具１は、カバー３００において、容易に発光面３１０を分割したデザインを表示することができる。また、カバー３００は、溝が線状に設けられた第二入光部３２２により、第二発光部３１２が構成されており、新たな部材を設けずに第一発光部３１１に対して光の特性が異なる第二発光部３１２を容易に形成することができる。
【００３９】
また、第一入光部３２１は、平面状に形成されている。すなわち、カバー３００は、主たる照射面となり面状に発光する第一発光部３１１と、第一発光部３１１に対して光の特性が異なり、線状に表れる第二発光部３１２とを有している。その結果、照明器具１は、カバー３００において、容易に発光面３１０を分割したデザインを表示することができる。また、カバー３００は、溝が線状に設けられた第二入光部３２２により、第二発光部３１２が構成されており、新たな部材を設けずに第一発光部３１１に対して光の特性が異なる第二発光部３１２を容易に形成することができる。
【００４０】
また、カバー３００は、第二入光部３２２の長手方向の端部３２２ｔの延長線上に、平面状に形成された補強部３２３を有している。そして、補強部３２３の表面と発光面３１０との間の距離Ｔ３は記第二入光部の最深部と発光面３１０との間の距離Ｔ２よりも大きい。照明器具１は、カバー３００の第二入光部３２２の長手方向の端部３２２ｔの延長線上に補強部３２３を設けていることで、カバー３００の変形を抑制することができる。よって、作業者が、カバー３００を器具本体１００に取り付けるときに、厚さが薄い第二入光部３２２の発光面３１０の側端部に負荷がかかり破損することを抑制することができる。また、この補強部３２３は、カバー３００において梁のように作用し、作業時に長手方向Ｘにカバー３００が片持ちのように撓むことを抑制することができる。
【００４１】
また、補強部３２３は、入光面３２０と面一状に形成されている。そのため、照明器具１は、補強部３２３と入光面３２０との間の光ムラを抑制することができる。
【００４２】
図１２は、変形例１のカバー３００Ａを示す図である。図１３は、変形例２のカバー３００Ｂを示す図である。図１２及び図１３を用いて、カバー３００の変形例について説明する。実施の形態１において、カバー３００について、第一発光部３１１よりも第二発光部３１２が暗くなるとの説明を行った。しかし、カバー３００は、第二発光部３１２が第一発光部３１１と異なる光の特性を有していればよい。そこで、カバー３００Ａは、図１２に示すように、第二入光部３２２Ｃに平面状に形成された平面部３２２ｂを設けるようにし、第二発光部３１２が第一発光部３１１よりも明るくなるように形成されてもよい。平面部３２２ｂは、第二入光部３２２Ｃにおいて、入光面３２０よりも発光面３１０に近い位置に、平面状に形成された部分である。なお、カバー３００Ａは、第二入光部３２２Ｃの断面形状が第二入光部３２２の断面形状と異なるだけであり、他の構成は、カバー３００と同じである。カバー３００Ａは、第二入光部３２２Ｃの溝の最深部となる端部３２２ｇが平面部３２２ｂとなる。そして、カバー３００Ａは、第二入光部３２２Ｃの溝の最深部となる平面部３２２ｂと発光面３１０との間の距離Ｔ２が距離Ｔ１よりも小さい。カバー３００Ａは、平面部３２２ｂを有し、平面部３２２ｂと発光面３１０との間の距離Ｔ２が距離Ｔ１よりも小さいことで、第一入光部３２１に入射する光よりも第二入光部３２２Ｃに入射する光の拡散と透過による損失を少なくすることができる。そのため、カバー３００Ａは、第二発光部３１２が第一発光部３１１よりも明るい。
【００４３】
また、カバー３００は、図１３のようにレンズが集光する形状に形成されたカバー３００Ｂであってもよい。カバー３００Ｂの第二入光部３２２Ｄは、曲面によって形成されている。すなわち、第二入光部３２２Ｄは、傾斜角度の異なる複数の傾斜面３２２ａが連続することで曲面を構成している。カバー３００Ｂは、第二入光部３２２Ｄが集光するレンズ形状に形成されていることで、第二発光部３１２が第一発光部３１１よりも明るい。カバー３００Ｂは、第二入光部３２２Ｄの断面形状が第二入光部３２２の断面形状と異なるだけであり、他の構成は、カバー３００と同じである。
【００４４】
以上のように、第二入光部３２２Ｃは、図１２に示すように、入光面３２０よりも発光面３１０に近い位置に、平面状に形成された平面部３２２ｂを有する。カバー３００Ａは、平面部３２２ｂを有し、平面部３２２ｂと発光面３１０との間の距離Ｔ２が距離Ｔ１よりも小さいことで、第一入光部３２１に入射する光よりも第二入光部３２２Ｃに入射する光の拡散と透過による損失を少なくすることができる。そのため、カバー３００Ａは、第二発光部３１２が第一発光部３１１よりも明るい。その結果、第二入光部３２２Ｃに対向する第二発光部３１２と、第一入光部３２１に対向する第一発光部３１１との間で、発光面３１０から照射される光の明るさを異ならせることができる。すなわち、照明器具１は、第二入光部３２２Ｃが、入光面３２０よりも発光面３１０に近い位置に、平面状に形成された平面部３２２ｂを有するという簡単な構成によって、発光面３１０から発せられる光の明るさを異ならせることができる。そして、照明器具１は、第一発光部３１１と第二発光部３１２との異なる光の明るさによってカバー３００Ａにデザインを表示することができる。また、カバー３００Ａは、入光面３２０よりも発光面３１０に近い位置に、平面状に形成された平面部３２２ｂを有する第二入光部３２２Ｃにより、第二発光部３１２を構成している。そのため、照明器具１は、新たな部材を設けずに第一発光部３１１に対して光の特性が異なる第二発光部３１２を容易に形成することができる。また、図１３に示すように、カバー３００Ｂの第二入光部３２２Ｄは、集光するレンズ形状に形成されている。カバー３００Ｂは、第二入光部３２２Ｄが集光するレンズ形状に形成されていることで、第二発光部３１２が第一発光部３１１よりも明るい。その結果、第二入光部３２２Ｄに対向する第二発光部３１２と、第一入光部３２１に対向する第一発光部３１１との間で、発光面３１０から照射される光の明るさを異ならせることができる。すなわち、照明器具１は、第二入光部３２２Ｄが、集光するレンズ形状に形成されているという簡単な構成によって、発光面３１０から発せられる光の明るさを異ならせることができる。そして、照明器具１は、第一発光部３１１と第二発光部３１２との異なる光の明るさによってカバー３００Ｂにデザインを表示することができる。また、カバー３００Ｂは、集光するレンズ形状に形成された第二入光部３２２Ｄにより、第二発光部３１２を構成している。そのため、照明器具１は、新たな部材を設けずに第一発光部３１１に対して光の特性が異なる第二発光部３１２を容易に形成することができる。
【００４５】
図１４は、変形例３のカバー３００Ｃを示す図である。図８に示すように、第二入光部３２２は、入光面３２０において１つの凹形状によって形成されているが、第二入光部３２２は、１つの凹形状によって形成されているものに限定されるものではない。第二入光部３２２の少なくとも一部は、入光面３２０と発光面３１０との間において傾斜面３２２ａを形成し、第一入光部３２１と比較して発光面３１０からの高さが異なればよい。そのため、図１４に示すように、第二入光部３２２Ｅは、入光面３２０において複数の凹形状によって形成されてもよい。カバー３００Ｃは、入光面３２０において複数の凹形状によって形成された第二入光部３２２Ｅを有する。カバー３００Ｃは、第二入光部３２２Ｅの断面形状が第二入光部３２２の断面形状と異なるだけであり、他の構成は、カバー３００と同じである。
【００４６】
以上、本発明の実施の形態、及び変形例について説明したが、これらの実施の形態と変形例とを組み合わせて実施しても構わない。あるいは、これらの実施の形態と変形例のうち、１つを部分的に実施しても構わない。あるいは、これらの実施の形態と変形例とを部分的に組み合わせて実施しても構わない。なお、本発明は、これらの実施の形態、及び変形例に限定されるものではなく、必要に応じて種々の変更が可能である。
【符号の説明】
【００４７】
１  照明器具、１００  器具本体、１１０  凹部、１１０ａ  開口部、１１１  底部、１１２  鍔部、１１４  側壁部、１１４ａ  短手方向側壁部、１１４ｂ  長手方向側壁部、１２０  枠部、２００  光源部、２１０  発光素子、２２０  基板、３００  カバー、３００Ａ  カバー、３００Ｂ  カバー、３００Ｃ  カバー、３１０  発光面、３１１  第一発光部、３１２  第二発光部、３２０  入光面、３２１  第一入光部、３２２  第二入光部、３２２Ｃ  第二入光部、３２２Ｄ  第二入光部、３２２Ｅ  第二入光部、３２２ａ  傾斜面、３２２ｂ  平面部、３２２ｇ  端部、３２２ｔ  端部、３２３  補強部。
【図１】
2020053122.tif 000003
【図２】
2020053122.tif 000004
【図３】
2020053122.tif 000005
【図４】
2020053122.tif 000006
【図５】
2020053122.tif 000007
【図６】
2020053122.tif 000008
【図７】
2020053122.tif 000009
【図８】
2020053122.tif 000010
【図９】
2020053122.tif 000011
【図１０】
2020053122.tif 000012
【図１１】
2020053122.tif 000013
【図１２】
2020053122.tif 000014
【図１３】
2020053122.tif 000015
【図１４】
2020053122.tif 000016